(57)【特許請求の範囲】
【請求項１】
ユーザの耳に装着するための携帯型音声出力装置であって、
スピーカを内蔵するスピーカユニットと、
該スピーカユニットが有し、前記スピーカを収容するハウジングと、
一端が前記スピーカユニットに接続されたコードと、を備え、
前記コードはユーザの耳殻に掛るように湾曲した後に、下方に向かって伸び、
前記スピーカユニットは、前記コードを保持する保持部であって、前記コードが前記一端と前記保持部によって保持された部分との間で湾曲するように、前記一端から離れており、前記コードの下方に向かって伸びている部分を保持する保持部を有し、
前記保持部は、前記ハウジングから下方かつ前記スピーカの指向方向に向けて斜めに延伸し、その端部によって前記コードを保持する
携帯型音声出力装置。
【請求項２】
請求項１に記載の携帯型音声出力装置において、
前記保持部には孔が形成され、前記コードは前記保持部の前記孔に通されている、
ことを特徴とする携帯型音声出力装置。
【請求項３】
請求項１に記載の携帯型音声出力装置において、
前記スピーカユニットは、前記スピーカを収容するハウジングから伸びるように形成される接続部を有し、
前記コードの一端は前記接続部の先端に接続されている、
ことを特徴とする携帯型音声出力装置。
【請求項４】
請求項３に記載の携帯型音声出力装置において、
前記接続部は、前記ハウジングから伸びるとともに、前記コードの前記一端側の延伸方向に湾曲している、
ことを特徴とする携帯側音声出力装置。
【請求項５】
請求項１に記載の携帯型音声出力装置において、
前記スピーカユニットは前記スピーカの前方で前記コードの一端が接続される接続部を有し、
前記コードは前記接続部から上方に伸びた後に、下方に湾曲し、
前記保持部は前記スピーカの下方で前記コードを保持している、
ことを特徴とする携帯型音声出力装置。
【請求項６】
請求項１に記載の携帯型音声出力装置において、
前記スピーカユニットは前記コードの前記一端が接続される接続部を有し、
前記接続部は弾性材料によって形成されている、
ことを特徴とする携帯型音声出力装置。
【請求項７】
請求項１に記載の携帯型音声出力装置において、
前記保持部は弾性材料によって形成されている、
ことを特徴とする携帯型音声出力装置。
【請求項８】
請求項１に記載の携帯型音声出力装置において、
前記スピーカユニットは前記スピーカを収容するハウジングを有し、
前記ハウジングは、前記スピーカが互いに反対の２つの方向に向くことができるように設けられている、
ことを特徴とする携帯型音声出力装置
【請求項９】
請求項８に記載の携帯型音声出力装置において、
前記スピーカユニットは前記ハウジングを回転可能に支持する支持部を有している、
ことを特徴とする携帯型音声出力装置。
【請求項１０】
請求項８に記載の携帯型音声出力装置において、
前記スピーカユニットは前記ハウジングを支持する支持部を有し、
前記保持部は、前記支持部の位置から前記２つの方向のうち一方にずれた位置で前記コードを保持する第１の位置と、前記支持部の位置から他方向にずれた位置で前記コードを保持する第２の位置との間で移動可能となっている、
ことを特徴とする携帯型音声出力装置。
【発明の詳細な説明】
【技術分野】
【０００１】
本発明は、イヤホンや、ヘッドセットなど、ユーザの耳に装着されて利用される携帯型音声出力装置に関し、特に、ユーザの耳への装着の安定性を向上する技術に関する。
【背景技術】
【０００２】
従来、イヤホンなど、ユーザの耳に装着される携帯型音声出力装置が利用されている。従来の携帯型音声出力装置には、ユーザの耳殻に掛るフック状のハンガー部や、耳殻を囲む枠状のハンガー部を有するものがある（例えば、特許文献１）。従来の携帯型音声出力装置では、ハンガー部はプラスチックなどの樹脂で形成されている。
【先行技術文献】
【特許文献】
【０００３】
【特許文献１】特開２００９−５５１２２号公報
【発明の概要】
【発明が解決しようとする課題】
【０００４】
従来の携帯型音声出力装置では、ユーザの耳殻の大きさによっては、ハンガー部が大きすぎたり、小さすぎたりするために、ハンガー部がユーザの耳殻に安定的に掛からない場合があった。
【０００５】
本発明は、上記課題に鑑みてなされたものであって、その目的は、ユーザの耳殻に安定的に掛けることのできる携帯型音声出力装置を提供する。
【課題を解決するための手段】
【０００６】
上記課題を解決するために、本発明は、ユーザの耳に装着するための携帯型音声出力装置であって、スピーカを内蔵するスピーカユニットと、スピーカユニットが有し、スピーカを収容するハウジングと、一端がスピーカユニットに接続されたコードとを備え、コードはユーザの耳殻に掛るように湾曲した後に、下方に向かって伸び、スピーカユニットは、コードを保持する保持部であって、コードが一端と保持部によって保持された部分との間で湾曲するように、一端から離れており、コードの下方に向かって伸びている部分を保持する保持部を有し、保持部は、ハウジングから下方かつスピーカの指向方向に向けて斜めに延伸し、その端部によってコードを保持する携帯型音声出力装置である。
【０００７】
本発明によれば、保持部がコードを保持する位置を調節することによって、コードの耳殻に掛っている部分を、ユーザの耳殻の大きさに適合した長さに変えることができる。そのため、安定的に携帯型音声出力装置を耳に掛けることができるようになる。
【０００８】
また、本発明の一態様では、前記コードは、ユーザの耳殻に掛るように湾曲した後に、下方に向かって伸び、前記保持部は前記コードの下方に向かって伸びている部分を保持してもよい。この態様によれば、コードを保持部に対して下方に動かすことによって、コードの湾曲している部分の長さを調整できる。
【０００９】
また、本発明の一態様では、前記保持部には孔が形成され、前記コードは前記保持部の前記孔に通されている。これによって、コードを保持部に対して円滑にスライドさせることが可能になる。
【００１０】
また、本発明の一態様では、前記スピーカユニットは前記スピーカを収容するハウジングを有し、前記保持部は前記ハウジングから延伸し、その端部によって前記コードを保持している。この態様によれば、ユーザの耳から離れた位置でコードを保持でき、耳とコードとの不要な干渉を抑制できる。
【００１１】
また、本発明の一態様では、前記スピーカユニットは、前記スピーカを収容するハウジングから伸びるように形成される接続部を有し、前記コードの一端は前記接続部の先端に接続されてもよい。この態様によれば、コードがユーザの耳から離れた位置でスピーカユニットに接続され得るので、ユーザの耳とコードとの不要な干渉を抑制できる。
【００１２】
また、この態様では、前記接続部は、前記ハウジングから伸び、前記コードの前記一端側の延伸方向に湾曲してもよい。こうすることによって、コードが引っ張られた時に、接続部に接続されるコードの一端に掛る負荷を軽減できる。
【００１３】
また、本発明の一態様では、前記スピーカユニットは前記スピーカの前方で前記コードの一端が接続される接続部を有し、前記コードは前記接続部から上方に伸びた後に、下方に湾曲し、前記保持部は前記スピーカの下方で前記コードを保持してもよい。この態様によれば、コードの、接続部と保持部との間の部分を、ユーザの耳殻を囲む円弧状にできる。そして、この態様では、円弧状の部分の一端側と他端側が、それぞれ接続部と保持部とによって支持されるので、コードを保持部に対して動かすことによって、コードの形状を維持したまま、円弧状の部分の長さを短くできる。
【００１４】
また、本発明の一態様では、前記スピーカユニットは前記スピーカを収容するハウジングを有し、前記保持部は、前記ハウジングから前記スピーカの半径方向且つ前記スピーカの向く方向に斜めに伸びてもよい。この態様によれば、携帯型音声出力装置の使用時には、保持部がユーザの頭部に近い位置でコードを保持できる。そのため、コードの湾曲した部分の位置をユーザの頭部に近づけることができる。その結果、コードがユーザの耳殻にさらに安定的に引っ掛かる。
【００１５】
また、本発明の一態様では、前記スピーカユニットは前記コードの前記一端が接続される接続部を有し、前記接続部は弾性材料によって形成されてもよい。この態様によれば、コードが引っ張られたときに、接続部を変形させることができる。その結果、コードの端部に係る負荷を軽減できる。
【００１６】
また、本発明の一態様では、前記保持部は弾性材料によって形成されてもよい。この態様によれば、保持部が保持している部分に外力が作用した場合に、保持部を変形させることができる。その結果、保持部がコードを保持した状態が維持されやすくなる。
【００１７】
また、本発明の一態様では、前記スピーカユニットは前記スピーカを収容するハウジングを有し、前記ハウジングは、前記スピーカが互いに反対の２つの方向に向くことができるように設けられてもよい。この態様によれば、携帯型音声出力装置をユーザの右耳と左耳の双方に装着できる。
【００１８】
また、この態様では、前記スピーカユニットは前記ハウジングを回転可能に支持する支持部を有してもよい。こうすることによって、簡単な操作で、スピーカの向きを変えることができる。
【００１９】
また、この態様では、前記スピーカユニットは前記ハウジングを支持する支持部を有してもよい。そして、前記保持部は、前記支持部の位置から前記２つの方向のうち一方にずれた位置で前記コードを保持する第１の位置と、前記支持部の位置から他方向にずれた位置で前記コードを保持する第２の位置との間で移動可能に設けられてもよい。こうすることによって、携帯型音声出力装置がユーザのいずれの耳に装着された場合であっても、コードの湾曲した部分の位置をユーザの頭部に近づけることができ、コードをユーザの耳殻に安定的に掛けることができる。
【図面の簡単な説明】
【００２０】
【図１】本発明の実施形態に係るイヤホンの側面図である。同図ではユーザの耳に装着されたイヤホンが示されている。
【図２】上記イヤホンの側面図である。
【図３】上記イヤホンを斜め後方から臨む斜視図である。
【図４】図２に示す矢印ＩＶの方向から上記イヤホンを臨む図である。
【図５】図２に示すＶ−Ｖ線での断面図である。
【図６】本発明の他の実施形態に係るイヤホンの側面図である。
【図７】図６に示すＶＩＩ−ＶＩＩ線での断面図である。
【図８】本発明のさらに他の実施形態に係るイヤホンの側面図である。
【図９】図８に示す矢印ＩＸの方向から同図のイヤホンを臨む図である。
【図１０】本発明の実施形態に係るヘッドセットの側面図である。
【図１１】図１０に示す矢印ＸＩから同図に示すヘッドセットを臨む図である。
【図１２】図１０に示す矢印ＸＩＩから同図に示すヘッドセットを臨む図である。
【図１３】本発明の他の実施形態に係るヘッドセットの側面図である。
【発明を実施するための形態】
【００２１】
以下、本発明の一実施形態について図面を参照しながら説明する。まず、本発明の実施形態に係る携帯型音声出力装置の一例であるイヤホン１について説明する。図１及び図２はイヤホン１の側面図である。図１ではユーザの耳に装着されたイヤホン１が示されている。図３はイヤホン１を斜め後方から臨む斜視図である。図４は図２に示す矢印ＩＶの方向からイヤホン１を臨む図である。図５は図２に示すＶ−Ｖ線での断面図である。なお、図１乃至図４では、ユーザの左耳に装着されるスピーカユニット１０を示しているが、イヤホン１は、ユーザの右耳に装着されるスピーカユニットをも備えている。また、以下の説明では、イヤホン１を装着したユーザの向いている方向をイヤホン１の前方（図１又は図２においてＸ１の示す方向）とする。また、イヤホン１を装着したユーザの頭部の左右方向を、イヤホン１の左右方向（図４においてＹ１−Ｙ２の示す方向）とする。
【００２２】
図１乃至図３に示すように、イヤホン１はスピーカ１１ａを内蔵するスピーカユニット１０と、スピーカユニット１０に接続されたコード２とを備えている。また、スピーカユニット１０は、後述するように、コード２を保持する保持アーム（保持部）１３を有している。この保持アーム１３は、コード２がその端部２ａと保持アーム１３によって保持される部分との間で湾曲するように、端部２ａから離れたコード２上の位置でコード２を保持している。さらに、スピーカユニット１０はスピーカ１１ａを収容するハウジング１１を有している。イヤホン１は所謂インナーイヤー型のイヤホンであり、イヤホン１の使用時にはハウジング１１はユーザの耳孔に嵌められる。また、この例のスピーカユニット１０は、コード２が接続される接続アーム（接続部）１２を有している。
【００２３】
図２に示すように、接続アーム１２は、ハウジング１１からスピーカ１１ａの半径方向に伸びるよう設けられている。ここでは、接続アーム１２はハウジング１１から前方に伸びている。具体的には、接続アーム１２の基部１２ａにハウジング１１が取り付けられ、接続アーム１２は基部１２ａから前方に伸びている（図３参照）。ハウジング１１は、基部１２ａの側面から左右方向における一方向（ここでは右方向）に突出するように基部１２ａに取り付けられ、スピーカ１１ａは上記一方向に向くようにハウジング１１内に配置されている。
【００２４】
コード２は、スピーカ１１ａよりも前方でスピーカユニット１０に接続されている。この例では、接続アーム１２の先端にコード２の端部２ａが接続されている。接続アーム１２の先端側は上方に屈曲し、コード２は接続アーム１２から上方に伸びている。接続アーム１２は先端に行くに従って細くなっている。なお、接続アーム１２の先端側は上方に湾曲してもよい。換言すると、接続アーム１２の先端側は、コード２の端部２ａ側の延伸方向に湾曲してもよい。
【００２５】
コード２は可撓性を有し、ユーザの耳殻Ａに掛るように湾曲している。この例では、コード２は、接続アーム１２に接続された端部２ａから、上方且つ斜め後方に伸び、下方に湾曲している。その後、コード２は、下方に向かってさらに伸びている。コード２の湾曲した部分は、ユーザの耳殻Ａの上側及び後側で伸びる円弧状となっている。また、この例では、コード２は接続アーム１２内でスピーカ１１ａに向かってさらに延伸し、コード２の電線はスピーカ１１ａに電気的に接続されている。後述するように、接続アーム１２は、コード２より高い剛性を有する材料によって形成されている。接続アーム１２は、コード２の接続アーム１２内に形成された部分の変形を規制している。
【００２６】
上述したように、スピーカユニット１０は、コード２を保持する保持アーム１３を有し、コード２が、端部２ａと保持アーム１３によって保持された部分との間で湾曲するように、保持アーム１３は、端部２ａから離れたコード２上の位置でコード２を保持している。この例では、コード２の端部２ａはスピーカ１１ａより前方に位置し、保持アーム１３はスピーカ１１ａの下方でコード２を保持している。そして、コード２は、端部２ａと保持アーム１３によって保持された部分との間の部分では、概ね円弧状となっている。
【００２７】
図２に示すように、保持アーム１３はハウジング１１からスピーカ１１ａの半径方向に伸びるよう設けられている。この例では、保持アーム１３はハウジング１１から下方に向かって伸びている。詳細には、保持アーム１３は、ハウジング１１が取り付けられた接続アーム１２の基部１２ａから下方に伸びている。そのため、保持アーム１３の延伸方向は、接続アーム１２の延伸方向（ここでは前方）に対して概ね垂直となり、接続アーム１２と保持アーム１３は全体として略Ｌ状に形成されている。また、保持アーム１３はハウジング１１から下方に伸びているため、イヤホン１の使用時には、ユーザの耳たぶＢの外側に位置する（図１参照）。なお、この例では、接続アーム１２と保持アーム１３との間の角度は概ね垂直であるが、接続アーム１２と保持アーム１３の間の角度は鈍角でも鋭角でもよい。
【００２８】
保持アーム１３はハウジング１１から下方に伸び、その下端によってコード２を保持している。上述したように、コード２は、ユーザの耳殻Ａに掛るように湾曲した後、下方に向かって伸びている。保持アーム１３の下端は、コード２の下方に向かって伸びている部分を保持している。そして、コード２における、保持アーム１３の下端と接続アーム１２の先端との間の部分が円弧状に湾曲している。換言すると、コード２の円弧状の部分の一端（すなわち端部２ａ）と、他端（保持アーム１３によって保持された部分）は、それぞれ接続アーム１２の先端と保持アーム１３の下端とに繋がっている。そのため、コード２の円弧状の部分と、接続アーム１２と、保持アーム１３は、全体として閉じた形状を有している。この例では、接続アーム１２は基部１２ａから前方に伸びる棒状であり、保持アーム１３は接続アーム１２の基部１２ａから下方に伸びる棒状である。そのため、接続アーム１２と保持アーム１３とコード２の円弧状の部分は全体として閉じた枠状に形成されている。
【００２９】
保持アーム１３は、コード２が保持アーム１３に対して動くことができるように構成されている。すなわち、コード２が保持アーム１３に対して動くことによって、保持アーム１３がコード２を保持するコード２上の位置は調整可能となっている。この例では、図５に示すように、保持アーム１３の下端には、当該下端を上下方向に貫通する孔１３ｂが形成されている。孔１３ｂの内径はコード２の外径に対応し、コード２は孔１３ｂを通って下方に伸びている。このため、コード２は保持アーム１３の下端に対して上下方向にスライド可能となっている。この例では、保持アーム１３の下端には、スピーカ１１ａの向く方向（以下、スピーカ指向方向、この例では右方向（図５においてＹ１の示す方向））に突出する一対の突起１３ｃが形成されている。この突起１３ｃの間に孔１３ｂが形成され、突起１３ｃはコード２を掴んでいる。なお、図５に示すように、突起１３ｃの先端は互いに離れている。そのため、コード２は保持アーム１３から取り外すことが可能となっている。
【００３０】
図４に示すように、保持アーム１３は、下方且つスピーカ指向方向に斜めに伸びている。そのため、左右方向における保持アーム１３の下端の位置は、接続アーム１２の位置から、スピーカ指向方向にずれている。これによって、イヤホン１が耳に装着された時、コード２がユーザの頭部に近い位置で保持アーム１３によって保持される。その結果、コード２の耳殻Ａに掛る部分（すなわち湾曲した部分）がユーザの頭部に近接し、コード２がユーザの耳殻Ａに安定的に引っ掛かる。また、コード２の耳殻Ａに掛る部分と、保持アーム１３との間に隙間が確保され、イヤホン１が耳に装着された時に、この隙間にユーザの耳たぶＢを位置させることができる。これによって、コード２とユーザの耳たぶＢとの干渉を抑制できる。なお、この例では、保持アーム１３は、下方に伸びるとともに、スピーカ指向方向に緩やかに湾曲している。
【００３１】
上述したようにコード２は可撓性を有している。そのため、コード２がユーザによって下方に引っ張られ、保持アーム１３に対して下方に動くと、図２の二点鎖線で示すように、コード２の湾曲している部分が短くなる。これによって、コード２の湾曲した部分がユーザの耳殻Ａの大きさに適合した大きさになり、イヤホン１の装着が安定する。
【００３２】
また、図４に示すように、コード２が保持アーム１３に対して下方に動くと、コード２の湾曲した部分の長さが短くなるため、当該湾曲した部分と、アーム１２，１３との間隔が狭まる。その結果、コード２とハウジング１１との間にユーザの耳殻Ａが挟まれ、イヤホン１がユーザの耳に安定的に装着される。
【００３３】
保持アーム１３と接続アーム１２は、コード２よりも高い剛性を有する材料によって構成される。この例では、保持アーム１３と接続アーム１２は、コード２よりも高い剛性を有する弾性材料によって一体的に形成されている。具体的には、保持アーム１３と接続アーム１２は、エラストマーと、当該エラストマーの変形を抑制する芯材とによって形成されている。こうすることによって、コード２が下方に引っ張られたときに、接続アーム１２が僅かに上方に曲がり、コード２に係る負荷が軽減され得る。また、コード２の保持アーム１３によって保持されている部分に外力が作用した場合に、保持アーム１３が変形するため、コード２が保持アーム１３から外れることを抑制できる。なお、接続アーム１２の基部１２ａから接続アーム１２の途中の位置まで芯材が設けられ、接続アーム１２の先端側には、そのような芯材がなくてもよい。同様に、接続アーム１２の基部１２ａから保持アーム１３の途中の位置まで芯材が設けられ、保持アーム１３の下端側にはそのような芯材はなくてもよい。なお、ハウジング１１は、例えばプラスチックなどの樹脂によって形成され、アーム１２，１３に取り付けられている。
【００３４】
保持アーム１３と接続アーム１２は、プラスチックなどの樹脂によって形成されてもよい。この場合、ハウジング１１と接続アーム１２とが一体的に形成され、保持アーム１３は接続アーム１２又はハウジング１１に取り付けられていてもよい。また、保持アーム１３とハウジング１１とが一体的に形成され、接続アーム１２が保持アーム１３又はハウジング１１に取り付けられていてもよい。
【００３５】
以上説明したように、イヤホン１では、コード２はユーザの耳殻Ａに掛るように湾曲している。また、スピーカユニット１０はコード２を保持する保持アーム１３を有している。保持アーム１３は、コード２が端部２ａと保持アーム１３によって保持される部分との間で湾曲するように、端部２ａから離れたコード２上の位置でコード２を保持している。また、保持アーム１３は、コード２が当該保持アーム１３に対して動くことができるように構成されている。このため、保持アーム１３がコード２を保持する位置を調節することができ、コード２の耳殻Ａに掛っている部分の長さを変えることができる。その結果、ユーザの耳殻Ａの大きさによらず、安定的にイヤホン１をユーザの耳に掛けることができる。
【００３６】
なお、本発明は以上説明したイヤホン１に限られず、種々の変更が可能である。例えば、以上の説明では、イヤホン１には、保持アーム１３に加えて、接続アーム１２が設けられていた。しかしながら、本発明は、接続アーム１２が設けられたイヤホンに限定されない。このようなイヤホンでは、コード２の端部２ａはハウジング１１に直接的に接続され、コード２はハウジング１１から前方に伸びるとともに上方に湾曲してもよい。
【００３７】
また、保持アーム１３は、スピーカ１１ａの下方でコード２を保持していた。しかしながら、保持アーム１３は前方に伸びるように形成され、スピーカ１１ａの前方でコード２を保持してもよい。この場合、コード２はユーザの耳を囲む環状に形成されてもよい。また、接続アーム１２はスピーカ１１ａの前方でコード２の端部２ａに接続されていた。しかしながら、接続アーム１２はスピーカ１１ａの下方でコード２の端部２ａに接続されてもよい。この場合においても、コード２はユーザの耳を囲む環状に形成されてもよい。
【００３８】
また、以上の説明では、保持アーム１３は一対の突起１３ｃを有し、突起１３ｃの間に形成された孔１３ｂにコード２が通されていた。しかしながら、保持アーム１３の下端が筒状に形成され、当該筒状の下端にコード２が通されてもよい。
【００３９】
また、保持アーム１３が有する突起１３ｃは、保持アーム１３の下端からスピーカ指向方向に突出していた。しかしながら、突起１３ｃは保持アーム１３の下端から前方に突出してもよい。図６及び図７は、この形態に係るイヤホン１００を示す図である。図６はイヤホン１００の側面図であり、図７は図６に示すＶＩＩ−ＶＩＩ線での断面図である。これらの図において、これまで説明した箇所と同一箇所には同一符号を付している。
【００４０】
図６に示すようにイヤホン１００は保持アーム１１３を有している。保持アーム１１３の下端には、前方に突出する一対の突起１１３ｃが形成されている。突起１１３ｃの間には孔１１３ｂが形成され、コード２はこの孔１１３ｂを通って下方に向かって伸びている。こうすることによって、ユーザがコード２を引っ張る際に、コード２が保持アーム１１３から外れることを抑制できる。つまり、保持アーム１１３は、コード２の斜め前方に伸びている部分を保持しているため、ユーザがコード２を下方に引っ張ると、保持アーム１１３の下端に対して、当該下端を後方に押す力（図６においてＦ）が作用する。イヤホン１では、突起１３ｃは保持アーム１３の下端からスピーカ指向方向に突出しているため、一方の突起１３ｃに力Ｆが作用し、当該一方の突起１３ｃが変形する可能性が生じる。イヤホン１００では、突起１１３ｃは保持アーム１１３の下端から前方に突出しているため、力Ｆは保持アーム１１３の下端に作用し、突起１１３ｃの変形は抑制される。その結果、コード２が保持アーム１１３によって保持された状態が維持され易くなる。
【００４１】
また、イヤホン１では、保持アーム１３の下端に形成された孔１３ｂに、コード２が通され、これによってコード２は保持アーム１３に対して動くことができていた。しかしながら、スピーカユニット１０には、このような孔１３ｂが形成された保持部１３に替えて、コード２を挟むクリップ状の保持部が設けられてもよい。この場合でも、クリップ状の保持部が開き、コード２を解放することによって、コード２は保持部に対して円滑に動くことができる。図８及び図９はこの形態に係るイヤホン２００を示す図である。図８はイヤホン２００の側面図であり、図９は図８に示す矢印ＩＸからイヤホン２００を臨む図である。
【００４２】
図８に示すように、イヤホン２００は、イヤホン１が有するスピーカ１１ａよりも大きな径を有するスピーカ２１１ａを有している。イヤホン２００の使用時には、スピーカ２１１ａを収容するハウジング２１１は、ユーザの耳孔の外側において耳と向き合うように配置される。
【００４３】
スピーカユニット２１０はコード２０２の端部２０２ａが接続される接続部２１２を有している。接続部２１２はハウジング２１１の外周縁に設けられ、スピーカ２１１ａよりも前方に位置している。そのため、コード２０２の端部２０２ａはスピーカ２１１ａの前側でスピーカユニット２１０に接続されている。イヤホン２００においても、コード２０２はユーザの耳殻Ａに掛るように湾曲している。すなわち、コード２０２は、端部２０２ａから上方に伸びた後に、後方（Ｘ２の示す方向）に湾曲している。その後、コード２０２は下方に向かって伸びている。そのため、コード２０２は、ユーザの耳殻Ａの上側及び後側を囲む円弧状に湾曲している。
【００４４】
図９に示すように、スピーカユニット２１０にはコード２０２を保持する保持部２１３が設けられている。保持部２１３はクリップ状に形成されている。詳細には、保持部２１３は、ハウジング２１１の縁から下方且つ斜め後方に伸びる固定部２１３ｂと、当該固定部２１３ｂに沿って下方且つ斜め後方に伸びる可動部２１３ｃとを有している。可動部２１３ｃは、当該可動部２１３ｃの先端と固定部２１３ｂの先端とが開閉可能となるように支持されている。この例では、固定部２１３ｂと可動部２１３ｃとの間には支点部２１３ｄが配置され、可動部２１３ｃは支点部２１３ｄによって支持されている。可動部２１３ｃは、固定部２１３ｂと可動部２１３ｃとの間に配置されたバネ（不図示）によって、可動部２１３ｃの先端と固定部２１３ｂの先端とが閉じる方向に付勢され、コード２は固定部２１３ｂと可動部２１３ｃとによって挟まれている。また、固定部２１３ｂの先端と可動部２１３ｃの先端とが開くことによって、コード２０２は保持部２１３に対してスライドする。
【００４５】
なお、固定部２１３ｂと可動部２１３ｃは、図９に示すように、下方且つスピーカ指向方向（ここでは右方向（Ｙ１の示す方向）に斜めに伸びている。そのため、固定部２１３ｂの先端と可動部２１３ｃの先端は、ハウジング２１１からスピーカ指向方向に離れた位置でコード２を保持している。また、固定部２１３ｂにはクッション２１３ｅが取り付けられている。クッション２１３ｅは、イヤホン２００の使用時に、固定部２１３ｂがユーザの耳又は頭部に当ることを防止する。
【００４６】
また、本発明は、スピーカとマイクフォンとを有するヘッドセットに適用されてもよい。図１０乃至図１２は、本発明の実施形態に係るヘッドセット３００を示す図である。図１０はヘッドセット３００の側面図である。図１１は図１０に示す矢印ＸＩの方向からヘッドセット３００を臨む図である。図１２は図１１に示す矢印ＸＩＩの方向からヘッドセット３００を臨む図である。
【００４７】
図１０に示すように、ヘッドセット３００はスピーカ３１１ａを内蔵するスピーカユニット３１０と、スピーカユニット３１０に接続されるコード３０２とを有している。スピーカユニット３１０は、側面視において略円形のハウジング３１１を有し、スピーカ３１１ａはハウジング３１１に収容されている。この例のスピーカ３１１ａも、ヘッドセット３００の使用時には、ユーザの耳孔の外側において耳と向き合うように配置される。
【００４８】
スピーカユニット３１０は、コード３０２の一端部３０２ａが接続される接続部３１２を有している。この例では、接続部３１２は、ハウジング３１１の下側から、当該ハウジング３１１の縁に沿って前方且つ斜め上方に伸びている。コード３０２の一端部３０２ａは、ハウジング３１１の前側で接続部３１２の前端に接続されている。
【００４９】
図１０に示すように、コード３０２はユーザの耳殻Ａに掛るように湾曲している。すなわち、コード３０２は一端部３０２ａから上方に伸びた後に、後方に曲がり、ユーザの耳殻Ａの上側と後側とを囲む円弧状に湾曲している。ヘッドセット３００の使用時には、この湾曲した部分がユーザの耳殻Ａに引っ掛かる。コード３０２は、ハウジング３１１の下方において、前方且つ斜め下方に伸びている。コード３０２の他端部にはマイクロフォン３０２ｂが設けられている。
【００５０】
図１０に示すように、スピーカユニット３１０には、接続部３１２の基部３１２ｂから下方に伸び、コード３０２を保持する保持アーム３１３が設けられている。保持アーム３１３は、コード３０２の一端部３０２ａから離れたコード３０２上の位置でコード３０２を保持し、コード３０２は保持アーム３１３によって保持される部分と一端部３０２ａとの間で湾曲している。
【００５１】
保持アーム３１３は、コード３０２が当該保持アーム３１３に対して動くことができるように構成されている。この例では、保持アーム３１３には、当該保持アーム３１３を概ね前後方向に貫通する孔３１３ａが形成されている（図１１参照）。コード３０２は孔３１３ａを通って前方且つ斜め下方に伸びており、保持アーム３１３に対して前後方向にスライド可能となっている。コード３０２も可撓性を有しており、ユーザがコード３０２を前方に引っ張ると、コード３０２は保持アーム３１３に対して前方にスライドする。その結果、コード３０２の湾曲した部分の長さが短くなる。これによって、コード３０２の湾曲した部分がユーザの耳殻Ａに適合した大きさになり、コード３０２がユーザの耳殻Ａに確実に引っ掛かる。
【００５２】
図１０又は図１２に示すように、ヘッドセット３００では、ハウジング３１１は、スピーカ３１１ａが互いに反対の２つの方向に向くことができるように、接続部３１２及び保持アーム３１３に対して回転可能となっている。この例では、接続部３１２には、コード３０２とスピーカ３１１ａとを電気的に接続するプラグ（支持部）３１４が設けられ、ハウジング３１１はこのプラグ３１４によって回転可能に支持されている。詳細には、プラグ３１４は、ハウジング３１１の下方に位置する接続部３１２の基部３１２ｂからハウジング３１１の中心Ｃに向かって上方に突出し、当該ハウジング３１１に差し込まれている。プラグ３１４は円柱状に形成されている。そのため、ハウジング３１１はプラグ３１４を中心にして回転可能となっている。そして、ハウジング３１１は、スピーカ３１１ａが右方向（図１２においてＹ１の示す方向）に向いた位置（図１２において実線で示すハウジング３１１の位置）と、スピーカ３１１ａが左方向（図１２においてＹ２の示す方向）を向いた位置との間で回転する。これによって、ヘッドセット３００を、ユーザの右耳及び左耳のいずれに対しても装着することができる。
【００５３】
図１１に示すように、保持アーム３１３は、接続部３１２の基部３１２ｂから下方に伸びるとともに、スピーカ指向方向（図１１では右方向）に傾斜している。そのため、保持アーム３１３に形成された孔３１３ａの位置は、左右方向におけるプラグ３１４の位置からスピーカ指向方向にずれている。すなわち、保持アーム３１３は、プラグ３１４の位置からスピーカ指向方向（ここでは右方向）に離れた位置でコード３０２を保持している。
【００５４】
上述したように、ハウジング３１１は回転可能に支持されている。それにともなって、保持アーム３１３も移動可能に構成されている。詳細には、図１１に示すように、保持アーム３１３は、左右方向におけるプラグ３１４の位置から右方向にずれた位置でコード３０２を保持する第１の位置（図１１において実線で示す保持アーム３１３の位置）と、プラグ３１４の位置から左方向にずれた位置でコード３０２を保持する第２の位置（図１１において二点鎖線で示す保持アーム３１３の位置）との間で移動可能となっている。この例では、保持アーム３１３は、その傾き方向が右方向又は左方向に変化するように構成されている。詳細には、保持アーム３１３の基部は、前後方向に伸びるよう配置された軸３１３ｃを介して、接続部３１２に連結されている。そのため、保持アーム３１３は、軸３１３ｃを中心にして右方向又は左方向に動く。
【００５５】
これによって、ヘッドセット３００がユーザのいずれの耳に装着された場合であっても、コード３０２の湾曲した部分の位置をユーザの頭部に近づけることができ、コード３０２を安定的にユーザの耳殻Ａに引っ掛けることができる。また、ヘッドセット３００がユーザのいずれの耳に装着された場合であっても、コード３０２の湾曲した部分と、接続部３１２の基部３１２ｂとの間に隙間が確保され、その隙間にユーザの耳たぶＢを位置させることができる。
【００５６】
なお、ヘッドセット３００では、スピーカ３１１ａの向きが右方向と左方向のいずれの方向にも向くことができるようにスピーカユニット３１０が構成されていた。また、それに伴って、保持アーム３１３も移動可能に設けられていた。しかしながら、ヘッドセットには、このような機構が設けられていなくてもよい。
【００５７】
例えば、図１３に示すヘッドセット４００では、スピーカユニット４１０は、スピーカ４１１ａを収容するハウジング４１１と、前方に伸びるように設けられた接続部４１２と、接続部４１２の基部４１２ａから下方に伸びる保持アーム４１３とを有している。接続部４１２の基部４１２ａはハウジング４１１の側面に取り付けられており、接続部４１２に対するスピーカ４１１ａの向きは固定されている。なお、ヘッドセット４００においても、コード４０２の一端部４０２ａは、接続部４１２の前端に、ハウジング４１１の前側で接続されている。コード４０２は、一端部４０２ａから上方に伸びた後に、ユーザの耳殻Ａに掛るように後方に湾曲している。コード４０２は、ハウジング４１１の下方において前方且つ斜め下方に延伸し、コード４０２の他端部にはマイクロフォン４０２ｂが設けられている。保持アーム３１３は接続部４１２の基部４１２ａから下方に伸び、ハウジング４１１の下方でコード４０２を保持している。
【符号の説明】
【００５８】
１，１００，２００  イヤホン、２，２０２，３０２，４０２  コード、１０，２１０，３１０，４１０  スピーカユニット、１１，２１１，３１１，４１１  ハウジング、１１ａ，２１１ａ，３１１ａ，４１１ａ  スピーカ、１２  接続アーム、１３，１１３，３１３，４１３  保持アーム（保持部）、２１２，３１２，４１２  接続部、２１３  保持部、２１３ｂ  固定部、２１３ｃ  可動部、３００，４００  ヘッドセット、３０２ｂ  マイクロフォン、３１４  プラグ（支持部）。
【図１】
0005440204.tif 000002
【図２】
0005440204.tif 000003
【図３】
0005440204.tif 000004
【図４】
0005440204.tif 000005
【図５】
0005440204.tif 000006
【図６】
0005440204.tif 000007
【図７】
0005440204.tif 000008
【図８】
0005440204.tif 000009
【図９】
0005440204.tif 000010
【図１０】
0005440204.tif 000011
【図１１】
0005440204.tif 000012
【図１２】
0005440204.tif 000013
【図１３】
0005440204.tif 000014